(57)【要約】      （修正有）【課題】灯具本体の光源の点灯及び消灯を容易にする人形飾り具用灯具、並びに、その灯具を利用した人形飾り具を提供する。【解決手段】人形ケース１のケース枠２の背面外側には乾電池１１を保持する保管部１２が取り付けられているとともにその保管部１２にスイッチ１３が取り付けられている。人形ケース１内にある各ぼんぼり１０のＬＥＤ光源１０ａは、連結部１７で互いに断続可能に接続された第１の電気配線１５と第２の電気配線１６とにより、保管部１２や乾電池１１やスイッチ１３に接続されている。スイッチ１３を操作すると、各ぼんぼり１０のＬＥＤ光源１０ａを容易に点灯及び消灯させることができる。また、保管部１２内の乾電池１１を容易に交換することができる。灯具１４の故障時に、ケース枠２から第１の電気配線１５と第２の電気配線１６とを取り出して連結部１７で互いに分離して容易に交換することができる。【選択図】図２
0003169632.tif 000002
【実用新案登録請求の範囲】
【請求項１】
光源を有する灯具本体と、乾電池を保持する保管部と、乾電池を電源としてその灯具本体の光源を点灯及び消灯し得るスイッチとを備え、この灯具本体から引き出した電気配線にこの乾電池及びスイッチを接続したことを特徴とする人形飾り具用灯具。
【請求項２】
前記灯具本体に接続した電気配線と、前記乾電池及びスイッチに接続した電気配線とを断続する連結部を設けたことを特徴とする請求項１に記載の人形飾り具用灯具。
【請求項３】
光源を有する灯具本体を載置し得る台を備えた人形飾り具において、乾電池を電源としてその灯具本体の光源を点灯及び消灯し得るスイッチを備えたことを特徴とする人形飾り具。
【請求項４】
光源を有する灯具本体をケース枠内に収容した人形飾り具において、乾電池を電源としてその灯具本体の光源をケース枠の外側から点灯及び消灯し得るスイッチを備えたことを特徴とする人形飾り具。
【請求項５】
前記乾電池を保持する保管部をケース枠に取り付けたことを特徴とする請求項３または請求項４に記載の人形飾り具。
【請求項６】
前記スイッチを前記保管部に取り付けたことを特徴とする請求項５に記載の人形飾り具。
【請求項７】
前記灯具本体に接続した電気配線と、前記乾電池及びスイッチに接続した電気配線とを断続する連結部を設けたことを特徴とする請求項３から請求項６のうちいずれか一つの請求項に記載の人形飾り具。
【考案の詳細な説明】
【技術分野】
【０００１】
本考案は、人形ケースや人形の飾り棚などの人形飾り具、並びに、その人形飾り具に用いる灯具に関するものである。
【背景技術】
【０００２】
この種の灯具においては、一般的に、ぼんぼりなどの灯具本体から引き出された電気配線に家庭用１００Ｖ電源プラグが接続されている。
【考案の開示】
【考案が解決しようとする課題】
【０００３】
しかし、ぼんぼりなどの灯具本体の光源を点灯及び消灯させる毎にこの家庭用１００Ｖ電源プラグを家庭用１００Ｖ電源コンセントに着脱しなければならず、その着脱作業が面倒であった。
【０００４】
この考案は、灯具本体の光源の点灯及び消灯を容易にする人形飾り具用灯具、並びに、その灯具を利用した人形飾り具を提供することを目的としている。
【課題を解決するための手段】
【０００５】
後記実施形態の図面（図１〜２）の符号を援用して本考案を説明する。
請求項１の考案にかかる人形飾り具用灯具（１４）においては、光源（１０ａ）を有する灯具本体（１０）と、乾電池（１１）を保持する保管部（１２）と、乾電池（１１）を電源としてその灯具本体（１０）の光源（１０ａ）を点灯及び消灯し得るスイッチ（１３）とを備え、この灯具本体（１０）から引き出した電気配線（１５，１６）にこの乾電池（１１）及びスイッチ（１３）を接続している。
【０００６】
請求項１の考案では、人形飾り具用灯具（１４）のスイッチ（１３）を操作するだけでぼんぼりなどの灯具本体（１０）の光源（１０ａ）を容易に点灯及び消灯させることができる。
【０００７】
請求項１の考案を前提とする請求項２の考案においては、前記灯具本体（１０）に接続した電気配線（１５）と、前記乾電池（１１）及びスイッチ（１３）に接続した電気配線（１６）とを断続する連結部（１７）を設けている。請求項２の考案では、灯具（１４）に故障が生じた場合、灯具本体（１０）に接続した電気配線（１５）と乾電池（１１）及びスイッチ（１３）に接続した電気配線（１６）とを連結部（１７）で断続して、いずれかの電気配線（１５，１６）のみを交換するだけでよく、コスト面で有利である。
【０００８】
請求項３の考案にかかる人形飾り具（１）においては、光源（１０ａ）を有する灯具本体（１０）を載置し得る台（８）を備え、乾電池（１１）を電源としてその灯具本体（１０）の光源（１０ａ）を点灯及び消灯し得るスイッチ（１３）を備えている。
【０００９】
請求項３の考案では、人形ケースや人形の飾り棚などの人形飾り具（１）において、スイッチ（１３）を操作するだけでぼんぼりなどの灯具本体（１０）の光源（１０ａ）を容易に点灯及び消灯させることができる。
【００１０】
請求項４の考案にかかる人形飾り具（１）においては、光源（１０ａ）を有する灯具本体（１０）をケース枠（２）内に収容し、乾電池（１１）を電源としてその灯具本体（１０）の光源（１０ａ）をケース枠（２）の外側から点灯及び消灯し得るスイッチ（１３）を備えている。
【００１１】
請求項４の考案では、人形飾り具（１）のケース枠（２）内に収容したぼんぼりなどの灯具本体（１０）の光源（１０ａ）をケース枠（２）の外側からスイッチ（１３）を操作するだけで容易に点灯及び消灯させることができる。
【００１２】
請求項３または請求項４の考案を前提とする請求項５の考案においては、前記乾電池（１１）を保持する保管部（１２）をケース枠（２）に取り付けている。請求項５の考案では、乾電池（１１）の交換を行ない易い。
【００１３】
請求項５の考案を前提とする請求項６の考案においては、前記スイッチ（１３）を前記保管部（１２）に取り付けている。請求項６の考案では、保管部（１２）とスイッチ（１３）とをコンパクトにまとめることができるとともに、スイッチ（１３）を操作し易い。
【００１４】
請求項３から請求項６のうちいずれか一つの請求項の考案を前提とする請求項７の考案においては、前記灯具本体（１０）に接続した電気配線（１５）と、前記乾電池（１１）及びスイッチ（１３）に接続した電気配線（１６）とを断続する連結部（１７）を設けている。請求項７の考案では、灯具（１４）に故障が生じた場合、灯具本体（１０）に接続した電気配線（１５）と乾電池（１１）及びスイッチ（１３）に接続した電気配線（１６）とを連結部（１７）で断続して、いずれかの電気配線（１５，１６）のみを交換するだけでよく、コスト面で有利である。
【考案の効果】
【００１５】
本考案は、人形飾り具用灯具（１４）、並びに、その灯具（１４）を利用した人形飾り具（１）において、家庭用１００Ｖ電源プラグに代わる乾電池（１１）を電源としてスイッチ（１３）を操作するだけで灯具本体（１０）の光源（１０ａ）を容易に点灯及び消灯させることができる。
【図面の簡単な説明】
【００１６】
【図１】（ａ）は本実施形態にかかる人形飾り具としての人形ケースを示す概略正面図であり、（ｂ）は同じく概略側面図である。
【図２】（ａ）は同じく概略背面図であり、（ｂ）はこの人形ケース内に収容する灯具本体としてのぼんぼりを備えた灯具においてその概略電気回路図である。
【考案を実施するための形態】
【００１７】
以下、本考案の一実施形態について図１〜２を参照して説明する。
図１（ａ）（ｂ）及び図２（ａ）に示す人形ケース１（人形飾り具）において、ケース枠２は前板部３と後板部４と両側板部５と上板部６と下板部７とからなり、そのケース枠２内に収容室が形成されている。前板部３と両側板部５とは透明板３ａ，５ａ（ガラス板やアクリル板など）を有している。ケース枠２内の収容室で台８には雛人形９やぼんぼり１０（灯具本体）などが載置されている。
【００１８】
図１（ｂ）及び図２（ａ）に示すように、後板部４と一方の側板部５と下板部７との間の隅部で下板部７には、乾電池１１を保持する保管部１２が取り付けられているとともに、その保管部１２にスイッチ１３が取り付けられている。図２（ｂ）に示す灯具１４は、前記ぼんぼり１０や乾電池１１や保管部１２やスイッチ１３のほかに、第１の電気配線１５や第２の電気配線１６を有している。第１の電気配線１５は、ぼんぼり１０内のＬＥＤ光源１０ａに接続されてぼんぼり１０の支柱１０ｂ内を通して台座１０ｃから引き出され、連結部１７に接続されている。第２の電気配線１６は、保管部１２や乾電池１１やスイッチ１３に接続され、連結部１７を介して第１の電気配線１５に接続されている。連結部１７は、第１の電気配線１５と第２の電気配線１６とを断続し得る。第１の電気配線１５と第２の電気配線１６と連結部１７とはケース枠２の下板部７内に収容されている。各ぼんぼり１０毎に光源１０ａと乾電池１１とスイッチ１３とを直列接続した閉回路が構成され、各ぼんぼり１０毎の閉回路が並列接続されている。
【００１９】
人形ケース１の背面側にあるスイッチ１３をケース枠２の外側から操作すると、人形ケース１内にある各ぼんぼり１０のＬＥＤ光源１０ａを点灯及び消灯させることができる。また、保管部１２内の乾電池１１を交換することができる。ケース枠２の下板部７内に収容された灯具１４の第１の電気配線１５と第２の電気配線１６とを取り出して連結部１７により断続することができる。
【００２０】
本実施形態は下記の効果を有する。
（１）  人形ケース１において、スイッチ１３をケース枠２の背面外側から操作するだけで各ぼんぼり１０のＬＥＤ光源１０ａを容易に点灯及び消灯させることができる。
【００２１】
（２）  人形ケース１において、例えば、ぼんぼり１０のＬＥＤ光源１０ａに故障が生じた場合、連結部１７により、ぼんぼり１０側の第１の電気配線１５と、乾電池１１及びスイッチ１３側の第２の電気配線１６とに分離して、ぼんぼり１０を含む第１の電気配線１５のみを交換することができる。また、例えば、乾電池１１及びスイッチ１３側の第２の電気配線１６に故障が生じた場合、ぼんぼり１０を人形ケース１から取り出すことなく、乾電池１１及びスイッチ１３を含む第２の電気配線１６のみを交換することができる。従って、コスト面で有利である。
【００２２】
（３）  スイッチ１３を取り付けた保管部１２をケース枠２の背面外側に取り付けているので、保管部１２とスイッチ１３とをコンパクトにまとめることができるとともに、スイッチ１３の操作や乾電池１１の交換を行ない易い。
【００２３】
前記実施形態以外にも例えば下記のように構成してもよい。
・  人形飾り具としては、人形ケース１以外に、ケース枠のない人形の飾り棚であってもよく、その飾り棚の台にぼんぼり１０などの灯具本体を載置することができる。
【００２４】
・  連結部１７を省略して第１の電気配線１５と第２の電気配線１６とを一連に接続してもよい。
・  ケース枠２に取り付けた保管部１２からスイッチ１３を離してケース枠２に直接取り付けてもよい。
【００２５】
・  スイッチ１３を取付けた保管部１２をケース枠２から離してケース枠２の外側に並べて配置してもよい。
・  保管部１２とスイッチ１３とを互いに分離するとともにそれらを共にケース枠２から離してケース枠２の外側に並べて配置してもよい。
【００２６】
・  保管部１２とスイッチ１３とのうち、一方をケース枠２に取り付けるとともに、他方をケース枠２から離してケース枠２の外側に並べて配置してもよい。
【符号の説明】
【００２７】
１…人形ケース１（人形飾り具）、２…ケース枠、８…台、１０…ぼんぼり（灯具本体）、１０ａ…光源、１１…乾電池、１２…保管部、１３…スイッチ、１４…灯具、１５，１６…電気配線、１７…連結部。
【図１】
0003169632.tif 000003
【図２】
0003169632.tif 000004
【手続補正書】
【提出日】平成23年6月8日(2011.6.8)
【手続補正１】
【補正対象書類名】実用新案登録請求の範囲
【補正対象項目名】請求項３
【補正方法】変更
【補正の内容】
【請求項３】
光源を有する灯具本体を載置し得る台を備えた人形飾り具において、乾電池を電源としてその灯具本体の光源を点灯及び消灯し得るスイッチを設け、この灯具本体から引き出した電気配線にこの乾電池及びスイッチを接続したことを特徴とする人形飾り具。
【手続補正２】
【補正対象書類名】実用新案登録請求の範囲
【補正対象項目名】請求項４
【補正方法】変更
【補正の内容】
【請求項４】
光源を有する灯具本体をケース枠内に収容した人形飾り具において、乾電池を電源としてその灯具本体の光源をケース枠の外側から点灯及び消灯し得るスイッチを設け、この灯具本体から引き出した電気配線にこの乾電池及びスイッチを接続したことを特徴とする人形飾り具。
【手続補正３】
【補正対象書類名】実用新案登録請求の範囲
【補正対象項目名】請求項５
【補正方法】変更
【補正の内容】
【請求項５】
前記乾電池を保持する保管部をケース枠に取り付けたことを特徴とする請求項４に記載の人形飾り具。
【手続補正４】
【補正対象書類名】明細書
【補正対象項目名】０００８
【補正方法】変更
【補正の内容】
【０００８】
請求項３の考案にかかる人形飾り具（１）においては、光源（１０ａ）を有する灯具本体（１０）を載置し得る台（８）を備え、乾電池（１１）を電源としてその灯具本体（１０）の光源（１０ａ）を点灯及び消灯し得るスイッチ（１３）を設け、この灯具本体（１０）から引き出した電気配線（１５，１６）にこの乾電池（１１）及びスイッチ（１３）を接続している。
【手続補正５】
【補正対象書類名】明細書
【補正対象項目名】００１０
【補正方法】変更
【補正の内容】
【００１０】
請求項４の考案にかかる人形飾り具（１）においては、光源（１０ａ）を有する灯具本体（１０）をケース枠（２）内に収容し、乾電池（１１）を電源としてその灯具本体（１０）の光源（１０ａ）をケース枠（２）の外側から点灯及び消灯し得るスイッチ（１３）を設け、この灯具本体（１０）から引き出した電気配線（１５，１６）にこの乾電池（１１）及びスイッチ（１３）を接続している。
【手続補正６】
【補正対象書類名】明細書
【補正対象項目名】００１２
【補正方法】変更
【補正の内容】
【００１２】
請求項４の考案を前提とする請求項５の考案においては、前記乾電池（１１）を保持する保管部（１２）をケース枠（２）に取り付けている。請求項５の考案では、乾電池（１１）の交換を行ない易い。